(57)【要約】      （修正有）【課題】自然気体熱対流の有機気体分解と殺菌除湿の装置を提供する。【解決手段】有機気体分解と殺菌除湿の装置は、座体１と、座体１端の吸気部２と、もう一端の排気部３と、気体流動空間座体表面上の発光ユニット４と、発光ユニット４を覆いかぶせるランプシェード５と、を含む。発光ユニット４と、ランプシェード５と、第一嵌合素子１２と、第二嵌合素子１３と、の間に気体流動空間を形成でき、吸気部２と、排気部３と、は気体流動空間とそれぞれ連通し、発光ユニット４が熱エネルギを発生することで、座体１外の気体は吸気部２より気体流動空間に進入し、排気部３より排出され、熱対流ループを形成し、除湿効果をもたらす装置である。【選択図】図１
0003217774.tif 000002
【実用新案登録請求の範囲】
【請求項１】
少なくとも座体と、発光ユニットと、ランプシェードと、を包含し、
前記座体は、前記座体内部に回路基板を設置し、前記座体の一端である開口部に第一嵌合素子を取り付け、もう一端の前記開口部に第二嵌合素子を取り付け、前記座体表面の両側にスリットを有し、且つ、前記座体の前記開口部に取り付けられる前記第一嵌合素子の一端に対応して設ける吸気部と、もう一端の前記座体にある前記開口部に取り付けられる第二嵌合素子に対応して設置する排気部と、を有しており、
前記発光ユニットは、前記座体表面に設置され、前記回路基板と電気的連接しており、
前記ランプシェードは、両側に対になるバックルを有し、前記バックルは前記スリットに対応して嵌合しており、
前記発光ユニットを前記座体表面に設置し、前記ランプシェードにある前記バックルを、前記座体にある前記スリット内に嵌合することで、前記ランプシェードが、前記発光ユニット上を覆いかぶせることで、前記発光ユニットと、前記ランプシェードと、前記第一嵌合素子と、前記第二嵌合素子と、の間に気体流動空間を形成でき、前記発光ユニットが、作動して熱エネルギを発生することで、前記座体外の気体は、前記吸気部より前記気体流動空間へ進入し、前記排気部より外へ排出され、熱対流ループを形成し、前記発光ユニットが発生する熱エネルギが気体内の湿気を消除する構造を特徴とする可分解有機気体と殺菌除湿の装置。
【請求項２】
前記ランプシェードと、前記第一嵌合素子と、の間に前記吸気部を形成し、前記ランプシェードと、前記第二嵌合素子と、の間に前記排気部を形成し、且つ前記吸気部と、前記排気部と、は前記気体流動空間とそれぞれ連通していることを特徴とする請求項１に記載の可分解有機気体と殺菌除湿の装置。
【請求項３】
前記吸気部は、前記第一嵌合素子上に設置し、前記排気部は、前記第二嵌合素子上に設置し、前記吸気部と、前記排気部と、は前記気体流動空間とそれぞれ連通していることを特徴とする、請求項１に記載の可分解有機気体と殺菌除湿の装置。
【請求項４】
前記発光ユニットは、最小でも波長が３８０〜３９５μｍの光線を発生し、且つ前記発光ユニットは、LEDライト、蛍光灯或いは冷陰極蛍光管としてもよいことを特徴とする請求項１に記載の可分解有機気体と殺菌除湿の装置。
【請求項５】
前記発光ユニットの表面に防水層を設けていることを特徴とする請求項１に記載の可分解有機気体と殺菌除湿の装置。
【請求項６】
前記ランプシェードの内壁に光触媒層を設けていることを特徴とする請求項１に記載の可分解有機気体と殺菌除湿の装置。
【請求項７】
前記光触媒層は、二酸化チタン、ナノシルバー、リン化ガリウム或いはヒ化ガリウムとすることを特徴とする請求項６に記載の可分解有機気体と殺菌除湿の装置。
【考案の詳細な説明】
【技術分野】
【０００１】
本考案は新型除湿装置に関し、とりわけ、気体熱対流ループ結合光触媒方式であって、気体の流通速度を抑え、不完全な可分解有機気体の浄化と殺菌除湿の装置である。
【背景技術】
【０００２】
近年、日常生活水準の向上において、空気汚染は科学技術の進歩につれて増々酷くなって来ている。居住空間への影響だけでなく、居住家具での細菌繁殖率は高湿度の問題と共に高くなり、各省エネルギ結合製品の需要は増えてきている。例えば、台湾特許公報新型公告号第M546225号「二酸化炭素を収集できる光触媒空気清浄機」は一種の二酸化炭素を収集できる光触媒空気清浄機であり、ファン本体と少なくとも一つの光触媒ランプを包含し、前記ファン本体は、ファン台座と、前記ファン台座と連接できるファン及び前記ファン台座に隣接する前記ファンの嵌合パーツと、を包有しており、光触媒ランプ管は前記ファンの周辺を囲繞して設置を形成し、且つ、両端に開口を形成する中空管体であって、前記嵌合パーツにより前記ファン本体を固定する導光管と、前記導光管の長さに沿って敷設される少なくとも一つのランプ管と、均一に前記ランプ管上に複数個のLEDチップしているLEDランプセットと、前記導光管内壁あるいは外壁に選択して設置する光触媒反応部と、を包含している。
【０００３】
しかしながら、この類の空気清浄機でよく見られるのは気体流動の部分が、すべてモーターとファンの連動を通して、ファンの旋回により、気体が流動しているが、光触媒が気体中の有機物質を分解するには時間を要し、ファンの電気的接続が短絡する危険だけでなく、それによって発生する強制気体流動が光触媒の有機物質の不完全分解を起し、排出した気体中の未分解有機物質が残留し、効率を大幅に下げてしまう。
【０００４】
従来品には上述のような欠点があることを鑑み、考案者は上述の欠点に対して改善を研究し、本考案が生まれるに至ったものである。
【考案の概要】
【考案が解決しようとする課題】
【０００５】
本考案の主な目的は、自然気体熱対流の可分解有機気体と殺菌除湿装置を形成し、提供することにある。
【０００６】
本考案のもう一つの目的は、気体の流通速度が早すぎて、浄化不完全になることを避け、可分解有機気体と殺菌除湿装置を形成し、提供することにある。
【０００７】
上述の目的及び効果を達成するため、本考案が採用する技術手段には、座体の一端である開口部に取り付けられる第一嵌合素子と、もう一端の開口部に取り付けられる第二嵌合素子と、座体表面の両側にスリットを有し、且つ、座体の開口部に取り付けられている第一嵌合素子の一端に設ける吸気部と、もう一端の座体にある開口部に対応して取り付けられる第二嵌合素子に端設される排気部と、内部に設置する回路基板である座体と、前記座体表面に設置され、並びに回路基板と電気的連接する発光ユニットと、両側に対応するバックルを有するランプシェードと、を包含し、発光ユニットが座体表面に設置され、ランプシェードのバックルが座体のスリット内に嵌合することを介して、ランプシェードを発光ユニット上に覆いかぶせることで、発光ユニットと、ランプシェードと、第一嵌合素子と、第二嵌合素子と、の間に気体流動空間を形成でき、発光ユニットが熱エネルギを発生することで、座体外の気体は前記吸気部より気体流動空間へ進入し、排気部より、外へ排出され、熱対流ループを形成し、発光ユニットが発生するエネルギは、気体内の湿気を除湿できる構造である。
【０００８】
上述の構造において、ランプシェードと、第一嵌合素子と、の間に、吸気部を形成し、ランプシェードと、第二嵌合素子と、の間に、排気部を形成し、且つ、吸気部と、排気部と、は前記気体流動空間とそれぞれ連通している。
【０００９】
上述の構造において、前記吸気部は、前記第一嵌合素子上に設置し、排気部は前記第二嵌合素子上に設置し、且つ、吸気部と、排気部と、は前記気体流動空間とそれぞれ連通している。
【００１０】
上述の構造において、前記発光ユニットは、最小でも波長が３８０〜３９５umの光線を発生し、且つ、発光ユニットは、ＬＥＤライト、蛍光灯或いは冷陰極蛍光管としても良い。
【００１１】
上述の構造において、発光ユニットの表面に防水層を設けている。
【００１２】
上述の構造において、ランプシェードの内壁に光触媒層を設けている。
【００１３】
上述の構造において、光媒体層は、二酸化チタン、ナノシルバー、リン化ガリウム或いはヒ化ガリウムとする。
【００１４】
本考案の上述目的、効果及び特徴をより具体的に理解できるように、以下で図面を参照しながら説明する。
【図面の簡単な説明】
【００１５】
【図１】本考案の最良の実施例の立体組合図である。
【図２】本考案の別の最良の実施例の立体分解図である。
【図３】本考案の気体対流サークルの立体見取図である。
【図４】本考案のさらに別の最良の実施例の立体組合図である。
【図５】本考案のさらに別の最良の実施例の立体組合図である。
【図６】図３の動作見取図である。
【考案を実施するための形態】
【００１６】
図１乃至図３を参照すると、本考案は、座体１と、吸気部２と、排気部３と、発光ユニット４と、ランプシェード５と、を包含し、前記座体１内部に回路基板１１を設置し、座体１の一端の開口部に第一嵌合素子１２を取り付け、もう一端の開口部に第二嵌合素子１３を取り付け、座体１表面の両側に、スリット１４を有し、且つ、前記座体１の一端に、吸気部２を有し、もう一端には排気部３を有しており、前記発光ユニット４は前記座体１表面に設けられ、並びに回路基板１１と電気的連接をし、前記発光ユニット４は、最小でも波長が３８０〜３９５umの光線を発生し、且つ、前記発光ユニット４はＬＥＤライト、蛍光灯或いは冷陰極蛍光管とすることができ、且つ、表面上には防水層４１が設けられ、前記ランプシェード５の両側には、対応したバックル５１を有し、且つ、バックル５１は、前記スリット１４内に嵌合し、ランプシェード５の内壁は、光触媒層５２を塗布し、前記光触媒層５２は、二酸化チタン、ナノシルバー、リン化ガリウム或いはヒ化ガリウムとし、いずれも光線を吸収し、電子をポンピングする功能を有し、光化学触媒作用を有しており、とりわけ、広く使用される二酸化チタンは、酸化還元能力が強く、化学的にも安定で、環境に良いなどのメリットがある。
【００１７】
本考案を組み立てる際、発光ユニット４は、座体１表面に設置し、ランプシェード５にあるバックル５１は、座体１のスリット１４内に嵌合し、且つ、ランプシェード５が、発光ユニット４上を覆い被せ、則ち発光ユニット４と、ランプシェード５と、第一嵌合素子１２と、第二嵌合素子１３と、の間は気体流動空間１０を形成し、且つ、ランプシェード５と、第一嵌合素子１２と、の間は吸気部２を形成し、ランプシェード５と、第二嵌合素子１３と、の間は排気部３を形成し、吸気部２と排気部３はそれぞれに連通し、発光ユニット４は、通電後、熱エネルギを発生し、ランプシェード５内の熱気を排気部３より排出し、冷気は吸気部２から進入し、熱対流気体循環を形成すると同時に、図６を参照すると、発光ユニット４は、特定波長の光波(約３８０〜３９５um）を発生し、光触媒層５２が光線によりポンピングされた後、活性化気体中の水素分子或いは酸素分子は、ヒドロキシ基あるいは酸素イオンを形成し、酸化或いは還元作用を進行し、環境中の汚染物を分解することによって抗菌の効果を達成し、これより、気体熱対流ループ結合の光触媒層５２により気体浄化し、より良い有機気体の分解を達成し、気体流動の速度が速く、且つ浄化不完全であることを避け、上述の背景技術と比べると、自然熱対流ループは、更にモーターなどの高電力消費機器を省き、安全であり、省エネ効果を有し、且つ、発光ユニット４が光化学反応の際に熱エネルギを発生し、適度な温度は４０〜６０度とすることができ、気体中の水分子を消除し、除湿効果を達成することができる。
【００１８】
注意すべき点は、発光ユニット４の表面には防水層を設けているので、水槽や浄水器などの装置内にも応用でき、発光ユニット４より発生する特定の波長光線は、ランプシェード５内壁の光触媒層５２をポンピングし、水中の有機汚染物の分解を達成できる。
【００１９】
図４を参照すると、本考案に係る実施例における図１乃至図３の特徴は、本考案の実施例における発光ユニット４は、蛍光灯或いは冷陰極蛍光管の形態を設置しているため、本考案の発光ユニット４は、生産と製造或いは使用目的との違いに基づいてＬＥＤ、蛍光灯或いは冷陰極蛍光管を設置することができることである。
【００２０】
図５を参照すると、本考案に係る実施例における図１乃至図３の特徴は、前記吸気部２は、前記第一嵌合素子１２上に設置され、排気部３は、第二嵌合素子上１３に設置され、且つ、吸気部２と、排気部３と、は前記気体流動空間１０にそれぞれ連通し、発光ユニット４は、通電後に熱エネルギを発生し、ランプシェード５内の熱気を排気部３より排出し、冷気が吸気部２より進入させることで、熱対流気体循環を形成しており、注意すべき点は、本考案の吸気部２と、排気部３と、は座体１の両端に設置されていることであり、上述の各本実施例より吸気部２と、排気部３と、の設置構造がわかる。
【００２１】
以上をまとめると、本考案の有機気体分解と殺菌除湿装置は、新規制と進歩性を備えた発明であり、特許法に基づきここに実用新案登録を出願するものである。但し、上述の説明内容は、本考案の最良の実施例の説明にすぎず、本考案の技術手段と範疇を延伸した変化、修飾、変更または同等効果の置換はすべて、本考案の請求の範囲内に含まれる。
【符号の説明】
【００２２】
1          座体
2          吸気部
3          排気部
4          発光ユニット
5          ランプシェード
10         気体流動空間
11         回路基板
12         第一嵌合素子
13         第二嵌合素子
14         スリット
41         防水層
51         バックル
52         光触媒層
【図１】
0003217774.tif 000003
【図２】
0003217774.tif 000004
【図３】
0003217774.tif 000005
【図４】
0003217774.tif 000006
【図５】
0003217774.tif 000007
【図６】
0003217774.tif 000008